(57)【要約】  制御装置（２）において、温度取得部（２０１）は、第１エリアの空気温度と、第１エリアとは異なる第２エリアの空気温度を取得する。日射量取得部（２０３）は、第１エリアの日射量を取得する。温度調整部（２０４）は、第１エリア及び第２エリアそれぞれの空気温度と、第１エリアの日射量に基づいて、第２エリアへ入る日射を遮蔽する日射遮蔽装置（８）及び第２エリアの空気を第１エリアに送る送風機（７）を制御して第１エリアの空気温度を調整する。
2018179350.tif 000002
【特許請求の範囲】
【請求項１】
第１エリアの空気温度と、前記第１エリアとは異なる第２エリアの空気温度を取得する温度取得手段と、
前記第１エリアの日射量を取得する日射量取得手段と、
前記第２エリアへ入る日射を遮蔽する日射遮蔽手段及び前記第２エリアの空気を前記第１エリアに送る送風手段と通信する通信手段と、
前記第１エリア及び前記第２エリアそれぞれの空気温度と、前記第１エリアの日射量に基づいて、前記日射遮蔽手段及び前記送風手段を制御して前記第１エリアの空気温度を調整する温度調整手段と、を備える、制御装置。
【請求項２】
前記温度調整手段は、前記第１エリアの空気温度が目標温度より高く、前記第２エリアの空気温度が前記第１エリアの空気温度より低い場合、前記送風手段に駆動を指示する、請求項１に記載の制御装置。
【請求項３】
前記温度調整手段は、前記第１エリアの空気温度が目標温度より高く、前記第１エリアの日射量が予め定めた閾値を超えている場合、前記日射遮蔽手段に閉動作を指示する、請求項１又は２に記載の制御装置。
【請求項４】
前記温度調整手段は、前記第１エリアの空気温度が目標温度より低く、前記第２エリアの空気温度が前記第１エリアの空気温度より高い場合、前記送風手段に駆動を指示する、請求項１に記載の制御装置。
【請求項５】
前記温度調整手段は、前記第１エリアの空気温度が目標温度より低く、前記第１エリアの日射量が予め定めた閾値を超えている場合、前記日射遮蔽手段に開動作を指示する、請求項１又は４に記載の制御装置。
【請求項６】
前記第１エリアの人の存否を判別する存否判別手段をさらに備え、
前記温度調整手段は、前記第１エリアに人が居る場合に、前記第１エリアの空気温度を調整する、請求項１から５の何れか１項に記載の制御装置。
【請求項７】
前記温度調整手段は、さらにユーザから前記日射遮蔽手段の前記動作を承認するか否かの決定を受け付け、ユーザが承認した場合、前記日射遮蔽手段に前記動作を指示する、請求項３又は５に記載の制御装置。
【請求項８】
第１エリアの日射量の推移を予測する日射量予測手段と、
前記第１エリアの空気温度の推移である第１温度推移と、前記第１エリアとは異なる第２エリアの空気温度の推移である第２温度推移を予測する温度予測手段と、
前記第２エリアへ入る日射を遮蔽する日射遮蔽手段及び前記第２エリアの空気を前記第１エリアに送る送風手段と通信する通信手段と、
前記日射量の推移と、前記第１温度推移と、前記第２温度推移に基づいて、予め定めた期間における、前記日射遮蔽手段の制御スケジュールである第１スケジュールと、前記送風手段の制御スケジュールである第２スケジュールを作成するスケジュール作成手段と、
前記第１スケジュールに従って前記日射遮蔽手段を制御し、前記第２スケジュールに従って前記送風手段を制御して前記第１エリアの空気温度を調整する温度調整手段と、を備える、制御装置。
【請求項９】
請求項１から８の何れか１項に記載の制御装置と、
前記第２エリアへ入る日射を遮蔽する日射遮蔽手段と、
前記第２エリアの空気を前記第１エリアに送る送風手段と、を備える、空調システム。
【請求項１０】
第１エリアの空気温度と、前記第１エリアとは異なる第２エリアの空気温度を取得し、
前記第１エリアの日射量を取得し、
前記第１エリア及び前記第２エリアそれぞれの空気温度と、前記第１エリアの日射量に基づいて、前記第２エリアへ入る日射を遮蔽する日射遮蔽手段及び前記第２エリアの空気を前記第１エリアに送る送風手段を制御して前記第１エリアの空気温度を調整する、空調制御方法。
【請求項１１】
コンピュータを、
第１エリアの空気温度と、前記第１エリアとは異なる第２エリアの空気温度を取得する温度取得手段、
前記第１エリアの日射量を取得する日射量取得手段、
前記第１エリア及び前記第２エリアそれぞれの空気温度と、前記第１エリアの日射量に基づいて、前記第２エリアへ入る日射を遮蔽する日射遮蔽手段及び前記第２エリアの空気を前記第１エリアに送る送風手段を制御して前記第１エリアの空気温度を調整する温度調整手段、として機能させるためのプログラム。
【発明の詳細な説明】
【技術分野】
【０００１】
本発明は、制御装置、空調システム、空調制御方法及びプログラムに関する。
【背景技術】
【０００２】
近年、エネルギーを効率的に利用するゼロエネルギーハウス（ＺＥＨ）が注目されている。これに関連して、一般家庭で使用される電力の管理を行う、いわゆる、ＨＥＭＳ（Home Energy Management System）が普及している。ＨＥＭＳにおいて、空調機、換気装置の他、電動ブラインド、電動シャッタ、電動オーニング又は電動カーテン等の日射遮蔽装置を自動制御する技術も知られている。【０００３】
このような日射遮蔽装置を用いて、空調機、換気装置等の空調負荷を低減化する技術（例えば、特許文献１）が提案されている。【０００４】
特許文献１では、夏期においては、空調機の冷房運転におけるエネルギー消費を削減するため、日射遮蔽装置のスラットの角度調整によって太陽光の屋内への導入を制限する。一方、冬期においては、空調機の暖房運転によるエネルギー消費を削減するため、スラットの角度調整によって太陽光の屋内への導入を促進する。
【先行技術文献】
【特許文献】
【０００５】
【特許文献１】特開２００７−２７７８３３号公報
【発明の概要】
【発明が解決しようとする課題】
【０００６】
しかしながら、屋内への採光を重視するユーザにとっては、太陽光の屋内への導入を制限する方向で日射遮蔽装置が制御されることは、意に反するものであり、また、プライバシー保護を重視するユーザにとっては、太陽光の屋内への導入を促進する方向で日射遮蔽装置が制御されることは、意に反するものといえる。【０００７】
このように、空調対象エリアに入る日射を遮蔽する日射遮蔽装置を、単にエネルギー削減の観点で制御してしまうと、当該空調対象エリアに居るユーザの快適性を損なうおそれがある。【０００８】
本発明は、上記課題を解決するためなされたものであり、空調対象エリアに居るユーザの快適性を損なわず、エネルギー削減の効果が得られる制御装置等を提供することを目的とする。
【課題を解決するための手段】
【０００９】
上記目的を達成するため、本発明に係る制御装置は、
第１エリアの空気温度と、前記第１エリアとは異なる第２エリアの空気温度を取得する温度取得手段と、
前記第１エリアの日射量を取得する日射量取得手段と、
前記第２エリアへ入る日射を遮蔽する日射遮蔽手段及び前記第２エリアの空気を前記第１エリアに送る送風手段と通信する通信手段と、
前記第１エリア及び前記第２エリアそれぞれの空気温度と、前記第１エリアの日射量に基づいて、前記日射遮蔽手段及び前記送風手段を制御して前記第１エリアの空気温度を調整する温度調整手段と、を備える。
【発明の効果】
【００１０】
本発明によれば、第１エリア（即ち、空調対象エリア）に居るユーザの快適性を損なうこと無く、エネルギーの削減効果が得られる。
【図面の簡単な説明】
【００１１】
【図１】本発明の実施の形態１に係る空調システムの構成を示す図
【図２】実施の形態１において、空調機、送風機、日射遮蔽装置の設置について説明するための図
【図３】実施の形態１に係る制御装置のハードウェア構成を示すブロック図
【図４】実施の形態１に係る制御装置の機能構成を示すブロック図
【図５】実施の形態１における空調制御処理の手順を示すフローチャート
【図６】実施の形態１の変形例１における空調制御処理の手順を示すフローチャート
【図７】実施の形態１の変形例２における承認受付画面の一例を示す図
【図８】実施の形態１の変形例２における承認受付画面の他の例を示す図
【図９】実施の形態１の変形例３におけるアドバイス画面の一例を示す図
【図１０】実施の形態１の変形例３におけるアドバイス画面の他の例を示す図
【図１１】本発明の実施の形態２に係る制御装置の機能構成を示すブロック図
【図１２】本発明の実施の形態２に係る制御装置による空調制御の効果を説明するための図
【発明を実施するための形態】
【００１２】
以下、本発明の実施の形態について図面を参照して詳細に説明する。
【００１３】
（実施の形態１）
図１に示す本発明の実施の形態１に係る空調システム１は、家屋Ｈにおける少なくとも１つの部屋の空調を行うシステムであり、制御装置２と、操作端末３と、発電設備４と、空調機５と、空調機６と、送風機７と、日射遮蔽装置８を備える。
【００１４】
制御装置２は、家屋Ｈ内の適切な場所に設置され、空調システム１を統括的に制御する。制御装置２は、本実施の形態では、一般家庭で使用される電力の管理を行う、いわゆる、ＨＥＭＳ（Home Energy Management System）を構成するエネルギー管理コントローラである。制御装置２の詳細については後述する。
【００１５】
操作端末３は、押しボタン、タッチパネル、タッチパッド等の入力デバイスと、有機ＥＬディスプレイ、液晶ディスプレイ等の表示デバイスと、通信インタフェースを備えた、例えば、パーソナルコンピュータ、スマートフォン、タブレット端末、壁掛け式のリモコン等のスマートデバイスである。操作端末３は、制御装置２と、Ｗｉ−Ｆｉ（登録商標）、Ｗｉ−ＳＵＮ（登録商標）又は有線ＬＡＮ等の周知の通信規格に則った通信を行う。操作端末３は、ユーザからの操作を受け付け、受け付けた操作内容を示す情報を制御装置２に送信する。また、操作端末３は、制御装置２から送信された、ユーザに提示するための情報を受信し、受信した情報を表示する。このように、操作端末３は、ユーザとのインタフェース（いわゆる、ユーザインタフェース）としての役割を担う。
【００１６】
発電設備４は、ＰＶ（photovoltaic）パネル４０と、パワーコンディショニングシステムであるＰＶ−ＰＣＳ４１を備えた太陽光発電設備である。ＰＶパネル４０は、家屋Ｈの屋根の上に設置され、太陽光エネルギーを電気エネルギーに変換することで発電する。ＰＶ−ＰＣＳ４１は、ＰＶパネル４０の発電により生じた直流電力を交流電力に変換し、家屋Ｈに設置された分電盤（図示しない）に供給する。
【００１７】
また、ＰＶ−ＰＣＳ４１は、無線通信インタフェースを備え、家屋Ｈ内に構築された無線ネットワーク（図示せず）を介して、制御装置２と通信可能に接続する。この無線ネットワークは、例えば、エコーネットライト（ECHONET Lite）に準じたネットワークである。ＰＶ−ＰＣＳ４１は、制御装置２からの要求に応答して、発電設備４から出力される電力（以下、発電電力という。）を示す情報（以下、発電情報という。）を定期的（例えば、１分毎）に制御装置２に送信する。
【００１８】
空調機５及び空調機６は、壁掛タイプの室内機であり、屋外に設置された同一又は異なる室外機（図示せず）と図示しない通信線を介して通信可能に接続されると共に、冷媒を循環させるための冷媒配管により接続されている。
【００１９】
図２に示すように、空調機５は、家屋Ｈの部屋Ａに設置され、空調機６は、家屋Ｈの部屋Ｂに設置されている。部屋Ａは、本発明における第１エリアの一例であり、部屋Ｂは、第２エリアの一例である。家屋Ｈの居住者であるユーザは、空調機５及び空調機６の各々の専用のリモコン（何れも図示せず）を操作して、空調機５及び空調機６の各々に対して、例えば、冷房運転、暖房運転、送風運転又は除湿運転の開始又は停止を指示することができ、また、設定温度（即ち、目標温度）又は風力の変更を指示することができる。
【００２０】
また、空調機５及び空調機６は、無線通信インタフェースを備え、上述した無線ネットワークを介して、制御装置２と通信可能に接続する。なお、空調機５及び空調機６の各々は、外付けの通信アダプタ（図示せず）を介して、この無線ネットワークに接続されてもよい。
【００２１】
制御装置２は、通信により、空調機５及び空調機６の各々に対して、上記と同様の指示、即ち、冷房運転、暖房運転、送風運転又は除湿運転の開始又は停止を指示することができ、また、設定温度（即ち、目標温度）又は風力の変更を指示することができる。
【００２２】
また、空調機５は、制御装置２からの要求に応答して、空調機５の現在の動作状態を示す情報（以下、第１空調情報という。）を制御装置２に送信する。この第１空調情報には、空調機５のＩＤ（identification）と、冷房運転中、暖房運転中、送風運転中、除湿運転中、運転停止中の何れかを示す情報と、設定温度及び風力を示す情報と、空調機５が備える温度センサ５０により計測された部屋Ａの空気温度を示す情報が含まれる。
【００２３】
空調機６も空調機５と同様、制御装置２からの要求に応答して、空調機６の現在の動作状態を示す情報（以下、第２空調情報という。）を制御装置２に送信する。この第２空調情報には、空調機６のＩＤと、冷房運転中、暖房運転中、送風運転中、除湿運転中、運転停止中の何れかを示す情報と、設定温度及び風力を示す情報と、空調機６が備える温度センサ６０により計測された部屋Ｂの空気温度を示す情報が含まれる。
【００２４】
なお、空調機５及び空調機６の各々は、自発的に一定の時間間隔（例えば、１分間隔）で、第１空調情報及び第２空調情報を制御装置２に送信してもよい。
【００２５】
送風機７は、本発明における送風手段の一例であり、図２に示すように、部屋Ａと部屋Ｂとを間仕切りする壁９に設けられた通気孔９０に設置されている。通気孔９０により、部屋Ａと部屋Ｂ間で空気の流通が可能となる。送風機７は、例えば、ＤＣファンモータ等によって駆動される遠心ファン又は多翼ファン等である。送風機７は、無線通信インタフェースを備え、上述した無線ネットワークを介して、制御装置２と通信可能に接続する。なお、送風機７は、外付けの通信アダプタ（図示せず）を介して、この無線ネットワークに接続されてもよい。送風機７の駆動の開始及び停止は、制御装置２からの指示に基づいて切り替えられる。
【００２６】
日射遮蔽装置８は、本発明における日射遮蔽手段の一例であり、例えば、外付けの電動ブラインドである。日射遮蔽装置８は、部屋Ｂの窓ＷＢを屋外側から覆うように設置され、窓ＷＢを介して入射する日射を遮るための装置である。ユーザは、日射遮蔽装置８の専用のリモコン（図示せず）を操作して、日射遮蔽装置８にスラット（ルーバともいう。）の角度（以下、ブラインド角度という。）の変更を指示することができる。例えば、ユーザは、上記のリモコンを介してブラインド角度を０°、４５°又は９０°に変更させることができる。ブラインド角度が０°（即ち、全閉）の場合、日射の遮蔽率が最も高くなり、ブラインド角度が９０°（即ち、全開）の場合、日射の遮蔽率が最も低くなる。これにより、ユーザは、部屋Ｂに入る日射を好みの程度に調整することができる。
【００２７】
また、日射遮蔽装置８は、無線通信インタフェースを備え、上述した無線ネットワークを介して、制御装置２と通信可能に接続する。なお、日射遮蔽装置８は、外付けの通信アダプタ（図示せず）を介して、この無線ネットワークに接続されてもよい。制御装置２は、通信により、日射遮蔽装置８に対して、上記と同様の指示、即ち、ブラインド角度の変更を指示することができる。
【００２８】
制御装置２は、図３に示すように、プロセッサ２０と、通信インタフェース２１と、ＲＯＭ（Read Only Memory）２２と、ＲＡＭ（Random Access Memory）２３と、二次記憶装置２４を備える。これらの構成部は、バス２５を介して相互に接続される。プロセッサ２０は、この制御装置２を統括的に制御する。プロセッサ２０によって実現される制御装置２の機能の詳細については後述する。
【００２９】
通信インタフェース２１は、上述した無線ネットワークを介してＰＶ−ＰＣＳ４１、空調機５、空調機６、送風機７と無線通信するためのネットワークカードと、操作端末３と無線通信又は有線通信するためのネットワークカードを含んで構成される。通信インタフェース２１は、本発明に係る制御装置が備える通信手段の一例である。
【００３０】
ＲＯＭ２２は、複数のファームウェア及びこれらのファームウェアの実行時に使用されるデータを記憶する。ＲＡＭ２３は、プロセッサ２０の作業領域として使用される。
【００３１】
二次記憶装置２４は、ＥＥＰＲＯＭ（Electrically Erasable Programmable Read-Only Memory）若しくはフラッシュメモリ等の読み書き可能な不揮発性の半導体メモリ又はＨＤＤ（Hard Disk Drive）等を含んで構成される。二次記憶装置２４は、制御対象となる部屋（本実施の形態では、部屋Ａ）の空調を行うためのプログラムである空調プログラムと、この空調プログラムの実行時に使用されるデータを記憶する。なお、この他にも、二次記憶装置２４は、この家庭で消費される電力を管理するための少なくとも１つ以上のプログラムと、各プログラムの実行時に使用されるデータを記憶する。
【００３２】
図４は、制御装置２の機能構成を示すブロック図である。制御装置２は、機能的には、空調情報取得部２００と、温度取得部２０１と、発電量取得部２０２と、日射量取得部２０３と、温度調整部２０４を備える。これらの各機能部は、プロセッサ２０が二次記憶装置２４に記憶されている空調プログラムを実行することで実現される。
【００３３】
空調情報取得部２００は、定期的に（例えば、１分毎に）、空調機５及び空調機６の各々に対し、空調情報の送信を要求する。かかる要求を受けると、空調機５及び空調機６は、それぞれ上述した第１空調情報及び第２空調情報を制御装置２に送信する。空調情報取得部２００は、空調機５からの第１空調情報を通信インタフェース２１を介して取得すると、第１空調情報に含まれる空調機５の動作状態を現在時刻と対応付けて図示しない動作状態テーブルに格納する。同様に、空調情報取得部２００は、空調機６からの第２空調情報を通信インタフェース２１を介して取得すると、第２空調情報に含まれる空調機６の動作状態を現在時刻と対応付けて動作状態テーブルに格納する。
【００３４】
動作状態テーブルは、空調機５及び空調機６の動作状態を管理するためのデータテーブルであり、二次記憶装置２４に記憶されている。
【００３５】
温度取得部２０１は、本発明に係る制御装置が備える温度取得手段の一例である。温度取得部２０１は、空調機５からの第１空調情報から、温度センサ５０により計測された空気温度、即ち、部屋Ａの空気温度を取得する。また、温度取得部２０１は、空調機６からの第２空調情報から、温度センサ６０により計測された空気温度、即ち、部屋Ｂの空気温度を取得する。温度取得部２０１は、取得した部屋Ａの空気温度及び部屋Ｂの空気温度を温度調整部２０４に通知する。
【００３６】
発電量取得部２０２は、定期的に（例えば、１分毎に）、ＰＶ−ＰＣＳ４１に対し、発電情報の送信を要求する。かかる要求を受けると、ＰＶ−ＰＣＳ４１は、上述したように、発電設備４から出力される発電電力を示す発電情報を制御装置２に送信する。発電量取得部２０２は、ＰＶ−ＰＣＳ４１からの発電情報を通信インタフェース２１を介して取得すると、発電情報に含まれる発電電力を日射量取得部２０３に通知する。
【００３７】
日射量取得部２０３は、本発明に係る制御装置が備える日射量取得手段の一例である。日射量取得部２０３は、発電量取得部２０２により取得された発電電力から、部屋Ａの日射量を算出することで取得する。日射量取得部２０３は、予めユーザにより入力された、部屋Ａにおける窓ＷＡの方角、位置、大きさ、日射遮蔽性能又は庇の有無などの窓情報を加味して部屋Ａの日射量を算出する。
【００３８】
温度調整部２０４は、本発明に係る制御装置が備える温度調整手段の一例である。温度調整部２０４は、部屋Ａの空気温度と、部屋Ｂの空気温度と、部屋Ａの日射量に基づいて、送風機７及び日射遮蔽装置８を制御して、部屋Ａの空気温度を調整する。
【００３９】
図５は、温度調整部２０４が実行する空調制御処理の手順を示すフローチャートである。温度調整部２０４は、定期的（例えば、１分毎）に空調制御処理を実行する。なお、図５のフローチャートに沿って以下に説明する空調制御処理の内容は、主として、外気温が高い夏期に対応したものである。
【００４０】
ステップＳ１０１において、温度調整部２０４は、部屋Ａの空気温度が、空調機５の設定温度（即ち、目標温度）を超えているか否かを判別する。部屋Ａの空気温度が設定温度を超えていない場合（ステップＳ１０１；ＮＯ）、温度調整部２０４は、本周期での空調制御処理を終了する。この場合、部屋Ａの空調機５が稼働中であれば、引き続き空調機５単独により部屋Ａの空調が行われる。
【００４１】
一方、部屋Ａの空気温度が設定温度を超えている場合（ステップＳ１０１；ＹＥＳ）、温度調整部２０４は、日射量取得部２０３により取得された部屋Ａの日射量が予め定めた閾値を超えているか否かを判別する（ステップＳ１０２）。この閾値は、例えば、部屋Ａの空気温度を１℃上昇させ得るエネルギー量に基づいて定められている。
【００４２】
部屋Ａの日射量が閾値を超えていない場合（ステップＳ１０２；ＮＯ）、温度調整部２０４は、本周期での空調制御処理を終了する。この場合、部屋Ａの空調機５が稼働中であれば、引き続き空調機５単独により部屋Ａの空調が行われる。
【００４３】
部屋Ａの日射量が閾値を超えている場合（ステップＳ１０２；ＹＥＳ）、温度調整部２０４は、日射遮蔽装置８に対し、閉動作を指示する（ステップＳ１０３）。詳細には、温度調整部２０４は、ブラインド角度を０°に変更する指示を示す遮蔽制御情報を日射遮蔽装置８に送信する。なお、既に、日射遮蔽装置８のブラインド角度が０°の場合、温度調整部２０４は、遮蔽制御情報を日射遮蔽装置８に送信しなくてもよい。
【００４４】
温度調整部２０４は、部屋Ｂの空気温度が部屋Ａの空気温度より低いか否かを判別する（ステップＳ１０４）。部屋Ｂの空気温度が部屋Ａの空気温度より低くない、即ち、部屋Ｂの空気温度が部屋Ａの空気温度以上である場合（ステップＳ１０４；ＮＯ）、温度調整部２０４は、本周期での空調制御処理を終了する。この場合、部屋Ａの空調機５が稼働中であれば、引き続き空調機５単独により部屋Ａの空調が行われる。
【００４５】
一方、部屋Ｂの空気温度が部屋Ａの空気温度より低い場合（ステップＳ１０４；ＹＥＳ）、温度調整部２０４は、送風機７に対し、駆動の開始を指示する（ステップＳ１０５）。詳細には、温度調整部２０４は、駆動開始の指示を示す駆動制御情報を送風機７に送信する。送風機７が駆動、即ち、回転を開始すると、部屋Ｂの空気が通気孔９０に吸い込まれ、部屋Ａへ流入する。この場合、流入した分に相当する部屋Ａの暖かい空気は、部屋Ａに設けられた換気口又はドアの隙間等から外部へと流出される。なお、既に、送風機７が駆動中の場合、温度調整部２０４は、駆動制御情報を送風機７に送信しなくてもよい。その後、温度調整部２０４は、本周期での空調制御処理を終了する。
【００４６】
なお、図５のフローチャートには示していないが、温度調整部２０４は、送風機７に対する駆動開始の指示後、部屋Ｂの空気温度が部屋Ａの空気温度以上になると、送風機７に駆動停止を指示する。これにより、部屋Ｂから部屋Ａへの空気の流入が停止する。
【００４７】
以上説明したように、実施の形態１の空調システム１によれば、空調対象エリアである部屋Ａの空気温度が設定温度より高く、且つ、日射による部屋Ａの空気温度に与える影響が大きい場合、部屋Ｂに入る日射を遮蔽する。そして、部屋Ｂの空気温度が低下して、部屋Ａより低くなると、部屋Ｂの空気を部屋Ａへ送る。これにより、部屋Ａの空気温度の上昇を抑制することができる。その結果、部屋Ａの空調機５の冷房運転時の負荷を低減することができ、エネルギーの削減効果が得られる。
【００４８】
また、空調対象の部屋Ａとは異なる部屋Ｂに設置された日射遮蔽装置８を制御して、上記の温度調整を実現しているため、たとえ、部屋Ａに日射遮蔽装置８と同様の電動ブラインド等が設置されていない場合であっても、部屋Ａの空気温度の上昇を抑制することができる。
【００４９】
さらに、部屋Ａに日射遮蔽装置８と同様の電動ブラインド等が設置されている場合であっても、上記の温度調整のために当該電動ブラインド等を制御しない。つまり、ユーザが採光を重視して、太陽光を積極的に取り込むために、あえて当該電動ブラインド等を全開状態にしている場合であっても、閉動作を行うことがない。このため部屋Ａの採光環境は維持され、ユーザの快適性を損なうことがない。
【００５０】
なお、上述したように、上記の空調制御処理は、特に、夏期（即ち、空調機５の冷房運転により部屋Ａの空調を行う時期）に実行することで、上記のように特段の効果が期待でできる。しかし、日射の他、部屋Ａに発生する内部発熱（ユーザ又は発熱機器を起因とする。）によって、冬期（即ち、空調機５の暖房運転により部屋Ａの空調を行う時期）又は中間期(夏期、冬期以外の時期)であっても、部屋Ａの空気温度が設定温度を上回る場合がある。このような場合、上記の空調制御処理を実行することで、空調機５の負荷を抑えつつ、部屋Ａの上昇を抑制することができる。
【００５１】
（変形例１）
実施の形態１の変形例１として、冬期等において部屋Ａの空気温度を上昇させたい場合の空調制御処理について説明する。
【００５２】
図６は、実施の形態１の変形例１に係る制御装置２の温度調整部２０４が実行する空調制御処理の手順を示すフローチャートである。温度調整部２０４は、この空調制御処理を定期的（例えば、１分毎）に実行する。
【００５３】
ステップＳ２０１において、温度調整部２０４は、部屋Ａの空気温度が、空調機５の設定温度（即ち、目標温度）より低いか否かを判別する。部屋Ａの空気温度が設定温度より低くない、即ち、部屋Ａの空気温度が設定温度以上である場合（ステップＳ２０１；ＮＯ）、温度調整部２０４は、本周期での空調制御処理を終了する。この場合、部屋Ａの空調機５が稼働中であれば、引き続き空調機５単独により部屋Ａの空調が行われる。
【００５４】
一方、部屋Ａの空気温度が設定温度より低い場合（ステップＳ２０１；ＹＥＳ）、温度調整部２０４は、日射量取得部２０３により取得された部屋Ａの日射量が予め定めた閾値を超えているか否かを判別する（ステップＳ２０２）。この閾値は、前述のように、例えば、部屋Ａの空気温度を１℃上昇させ得るエネルギー量に基づいて定められている。
【００５５】
部屋Ａの日射量が閾値を超えていない場合（ステップＳ２０２；ＮＯ）、温度調整部２０４は、本周期での空調制御処理を終了する。この場合、部屋Ａの空調機５が稼働中であれば、引き続き空調機５単独により部屋Ａの空調が行われる。
【００５６】
部屋Ａの日射量が閾値を超えている場合（ステップＳ２０２；ＹＥＳ）、温度調整部２０４は、日射遮蔽装置８に対し、開動作を指示する（ステップＳ２０３）。詳細には、温度調整部２０４は、ブラインド角度を９０°に変更する指示を示す遮蔽制御情報を日射遮蔽装置８に送信する。なお、既に、日射遮蔽装置８のブラインド角度が９０°の場合、温度調整部２０４は、遮蔽制御情報を日射遮蔽装置８に送信しなくてもよい。
【００５７】
温度調整部２０４は、部屋Ｂの空気温度が部屋Ａの空気温度より高いか否かを判別する（ステップＳ２０４）。部屋Ｂの空気温度が部屋Ａの空気温度より高くない、即ち、部屋Ｂの空気温度が部屋Ａの空気温度以下である場合（ステップＳ２０４；ＮＯ）、温度調整部２０４は、本周期での空調制御処理を終了する。この場合、部屋Ａの空調機５が稼働中であれば、引き続き空調機５単独により部屋Ａの空調が行われる。
【００５８】
一方、部屋Ｂの空気温度が部屋Ａの空気温度より高い場合（ステップＳ２０４；ＹＥＳ）、温度調整部２０４は、送風機７に対し、駆動の開始を指示する（ステップＳ２０５）。詳細には、温度調整部２０４は、駆動開始の指示を示す駆動制御情報を送風機７に送信する。送風機７が駆動、即ち、回転を開始すると、部屋Ｂの空気が通気孔９０に吸い込まれ、部屋Ａへ流入する。この場合、流入した分に相当する部屋Ａの冷たい空気は、部屋Ａに設けられた換気口又はドアの隙間等から外部へと流出される。なお、既に、送風機７が駆動中の場合、温度調整部２０４は、駆動制御情報を送風機７に送信しなくてもよい。その後、温度調整部２０４は、本周期での空調制御処理を終了する。
【００５９】
なお、図６のフローチャートには示していないが、温度調整部２０４は、送風機７に対する駆動開始の指示後、部屋Ｂの空気温度が部屋Ａの空気温度以下になると、送風機７に駆動停止を指示する。これにより、部屋Ｂから部屋Ａへの空気の流入が停止する。また、これに同期して、温度調整部２０４は、日射遮蔽装置８に対し、閉動作を指示する。
【００６０】
以上のように、実施の形態１の変形例１の空調システム１によれば、空調対象エリアである部屋Ａの空気温度が設定温度より低く、且つ、日射による部屋Ａの空気温度に与える影響が大きい場合、部屋Ｂへ日射を取り込む。そして、部屋Ｂの空気温度が上昇して、部屋Ａより高くなると、部屋Ｂの空気を部屋Ａへ送る。これにより、部屋Ａの空気温度の低下を抑制することができる。その結果、部屋Ａの空調機５の暖房運転時の負荷を低減することができ、エネルギーの削減効果が得られる。
【００６１】
また、空調対象の部屋Ａとは異なる部屋Ｂに設置された日射遮蔽装置８を制御して、上記の温度調整を実現しているため、たとえ、部屋Ａに日射遮蔽装置８と同様の電動ブラインド等が設置されていない場合であっても、部屋Ａの空気温度の低下を抑制することができる。
【００６２】
さらに、部屋Ａに日射遮蔽装置８と同様の電動ブラインド等が設置されている場合であっても、上記の温度調整のために当該電動ブラインド等を制御しない。つまり、ユーザがプライバシーの保護を重視して、あえて当該電動ブラインド等を全閉状態にしている場合であっても、開動作を行うことがなく、ユーザに不便感、不快感を与えることがない。
【００６３】
（変形例２）
制御装置２は、日射遮蔽装置８に対して開動作又は閉動作を指示する前に、ユーザから日射遮蔽装置８のかかる動作を承認するか否かの決定を受け付け、ユーザが承認した場合に、日射遮蔽装置８に対して開動作又は閉動作を指示するようにしてもよい。この場合、制御装置２は、図７及び図８に示すような承認受付画面を操作端末３あるいはユーザが所持するスマートフォン等に表示させる。そして、ユーザにより承認受付画面の“はい”ボタンが押下操作されると、制御装置２は、ユーザが承認したと判別して、日射遮蔽装置８に対して開動作又は閉動作を指示する。
【００６４】
このようにすると、部屋Ｂに人が居る場合等、日射遮蔽装置８が自動で制御されると不都合が生じてしまう事態を回避できる。
【００６５】
（変形例３）
制御装置２は、部屋Ａの空気温度が設定温度より高い又は低い場合、ユーザに対して部屋Ａの日射を遮蔽又は取り込むことで、エネルギー削減の効果が得られることを報知してもよい。この場合、制御装置２は、図９及び図１０に示すようなアドバイス画面を操作端末３あるいはユーザが所持するスマートフォン等に表示させる。
【００６６】
このようにすると、ユーザにエネルギー削減の意識を喚起させることができ、ユーザは、日射の遮蔽又は取り込みの可否を自身で判断することができる。このため、ユーザにエネルギー削減に関する有意な情報を与えることができ、ユーザが同意して実行した場合は、より効率的に部屋Ａの空気温度を調整することが可能になる。
【００６７】
（変形例４）
部屋Ａに、日射遮蔽装置８と同様な外付けの電動ブラインド等の日射遮蔽装置が設置され、かかる日射遮蔽装置が制御装置２によって制御可能である場合、制御装置２は、ユーザから承認を得ることを条件に、かかる日射遮蔽装置に対して開動作又は閉動作を指示するようにしてもよい。この場合も、制御装置２は、図７及び図８に類似する承認受付画面を操作端末３あるいはユーザが所持するスマートフォン等に表示させればよい。
【００６８】
このようにしても、ユーザの意に反した日射の遮蔽又は取り込みの動作を防止でき、さらにユーザが承認した場合には、空調対象エリアである部屋Ａにおいて日射の遮蔽又は取り込みを行うため、より効率的に部屋Ａの空気温度を調整することが可能になり、エネルギーの削減化がより図れる。
【００６９】
（変形例５）
制御装置２は、空調対象エリアである部屋Ａの人の存否を判別する存否判別部（存否判別手段の一例）をさらに備え、温度調整部２０４は、部屋Ａに人が居ることを条件として、上述の空調制御処理（図５又は図６参照）を実行してもよい。存否判別部は、例えば、部屋Ａの空調機５が稼働している場合に人が居ると判別してもよい。あるいは、ユーザが事前に制御装置２に登録した在室予定情報に基づいて部屋Ａの人の存否を判別してもよい。あるいは、部屋Ａに人感センサを設置し、前述した無線ネットワークを介して、制御装置２と通信可能に接続されるようにしてもよい。この場合、存否判別部は、かかる人感センサの検出結果に従って人の存否を判別する。
【００７０】
（変形例６）
上記の実施の形態及び実施の形態の変形例１において、送風機７により部屋Ｂの空気を部屋Ａに流入させたが、さらに、部屋Ａの空気を部屋Ｂに流入させる、即ち、部屋Ａの空気と部屋Ｂの空気を循環させるようにしてもよい。
【００７１】
（実施の形態２）
続いて、本発明の実施の形態２に係る空調システム１について説明する。なお、以下の説明において、実施の形態１と共通する構成要素等については、同一の符号を付し、その説明を省略する。
【００７２】
実施の形態２では、制御装置２は、予め作成したスケジュールに従って、送風機７及び日射遮蔽装置８を制御することで、空調対象エリアである部屋Ａの空調を行う。
【００７３】
図１１は、実施の形態２の制御装置２の機能構成を示すブロック図である。本実施の形態の制御装置２は、発電量取得部２０２と、日射量取得部２０３と、温度調整部２０４と、外気温取得部２０５と、日射量予測部２０６と、遮蔽スケジュール作成部２０７と、室温予測部２０８と、送風スケジュール作成部２０９を備える。
【００７４】
外気温取得部２０５は、外気温を取得する。詳細には、外気温を計測する図示しない外気温センサとの通信により、当該外気温センサの計測値、即ち、外気温を取得する。この外気温センサは、例えば、家屋Ｈの屋根の上に設置され、前述した無線ネットワークを介して、制御装置２と通信可能に接続する。
【００７５】
外気温取得部２０５は、取得した外気温を現在時刻と対応付けて外気温履歴テーブル２１０に保存する。外気温履歴テーブル２１０は、外気温の履歴を管理するためのデータテーブルであり、二次記憶装置２４に記憶されている。
【００７６】
日射量予測部２０６は、本発明に係る制御装置が備える日射量予測手段の一例である。日射量予測部２０６は、日射量履歴テーブル２１１を参照して、部屋Ａの予め定めた期間（例えば、当日の午前６時から１８時まで）における日射量の推移を予測する。日射量履歴テーブル２１１は、日射量の履歴を管理するためのデータテーブルであり、二次記憶装置２４に記憶されている。本実施の形態では、日射量取得部２０３は、実施の形態１と同様の手法で日射量を算出すると、算出した日射量を現在時刻と対応付けて日射量履歴テーブル２１１に保存する。
【００７７】
日射量予測部２０６は、例えば、前日の日射量の履歴から上記期間における日射量の推移を予測する。その際、日射量予測部２０６は、インターネット等の広域ネットワークを介して外部のサーバと通信することで取得した天気予報も加味して日射量の推移を予測してもよい。日射量予測部２０６は、予測した日射量の推移を二次記憶装置２４又はＲＡＭ２３に保存する。
【００７８】
遮蔽スケジュール作成部２０７は、在室予定テーブル２１２を参照して、部屋Ｂの日射を遮蔽するスケジュール、即ち、日射遮蔽装置８のブラインド角度を０°に制御するスケジュール（以下、遮蔽スケジュールという。）を作成する。在室予定テーブル２１２は、部屋Ａ、部屋Ｂの在室予定が登録されたデータテーブルであり、二次記憶装置２４に記憶されている。ユーザは、操作端末３を操作し、部屋と時間帯を指定することで、在室予定テーブル２１２に部屋Ａ又は部屋Ｂの在室予定を登録することができる。
【００７９】
遮蔽スケジュール作成部２０７は、在室予定テーブル２１２から部屋Ｂの予め定めた期間（例えば、当日の午前６時から１８時まで）における在室予定を参照してユーザの不在期間を検出する。そして、遮蔽スケジュール作成部２０７は、検出した不在期間に日射遮蔽装置８のブラインド角度を０°（即ち、全閉）に制御するようにスケジューリングした遮蔽スケジュールを作成する。遮蔽スケジュール作成部２０７は、作成した遮蔽スケジュールを二次記憶装置２４又はＲＡＭ２３に保存する。
【００８０】
室温予測部２０８は、本発明に係る制御装置が備える温度予測手段の一例である。室温予測部２０８は、部屋Ａ及び部屋Ｂそれぞれの予め定めた期間（例えば、当日の午前６時から１８時まで）における室温（即ち、空気温度）の推移を予測する。部屋Ａの室温の推移は、本発明における第１温度推移の一例であり、部屋Ｂの室温の推移は、本発明における第２温度推移の一例である。室温予測部２０８は、例えば、日射量予測部２０６により予測された日射量の推移と、前日の外気温の履歴から部屋Ａの室温の推移を予測する。また、室温予測部２０８は、例えば、日射量予測部２０６により予測された日射量の推移と、前日の外気温の履歴と、遮蔽スケジュールに基づいて、部屋Ｂの室温の推移を予測する。室温予測部２０８は、予測した部屋Ａ及び部屋Ｂそれぞれの室温の推移を二次記憶装置２４又はＲＡＭ２３に保存する。
【００８１】
送風スケジュール作成部２０９は、予測された部屋Ａ及び部屋Ｂそれぞれの室温の推移と、部屋Ａの空調機５の最新の設定温度に基づいて、送風機７を駆動させるスケジュール（以下、送風スケジュールという。）を作成する。詳細には、送風スケジュール作成部２０９は、ある時刻において、部屋Ａの空気温度が、設定温度及び部屋Ｂの空気温度の何れよりも高くなることが予測される場合、当該時刻より予め定めた時間前に送風機７を駆動させるようにスケジューリングする。送風スケジュール作成部２０９は、作成した送風スケジュールを二次記憶装置２４又はＲＡＭ２３に保存する。
【００８２】
遮蔽スケジュール作成部２０７及び送風スケジュール作成部２０９は、本発明の制御装置が備えるスケジュール作成手段の一例である。また、上記の遮蔽スケジュールは、本発明における第１スケジュールの一例であり、上記の送風スケジュールは、本発明における第２スケジュールの一例である。
【００８３】
温度調整部２０４は、遮蔽スケジュールに従って日射遮蔽装置８を制御し、送風スケジュールに従って送風機７を制御する空調制御処理を実行する。
【００８４】
このように、本実施の形態によれば、制御装置２は、部屋Ａの日射量の推移と、部屋Ａの空気温度の推移と、部屋Ｂの空気温度の推移を予測し、これらの予測結果に基づいて予め作成したスケジュールに従って、送風機７及び日射遮蔽装置８を制御する。このため、部屋Ａの空調機５の冷房負荷を効率的に低減することができる。
【００８５】
図１２は、実施の形態２の制御装置２による空調制御の効果を説明するための図である。図１２において、破線は、温度調整部２０４により空調制御処理が行われなかった場合の部屋Ａの空気温度の推移の例を示している。細線は、温度調整部２０４により空調制御処理が行われた場合の部屋Ｂの空気温度の推移の例を示し、太線は、空調制御処理が行われた場合の部屋Ａの空気温度の推移の例を示している。
【００８６】
図１２に示すように、夏期の日射時間帯（例えば、６時〜１８時）における部屋Ａにユーザが在室する時間帯（１２時〜１８時）において、部屋Ａの空気温度を室温近辺まで下げることができる。
【００８７】
（変形例１）
冬期等において部屋Ａの空気温度を上昇させたい場合、遮蔽スケジュール作成部２０７は、部屋Ｂにおけるユーザの不在期間に日射遮蔽装置８のブラインド角度を９０°（即ち、全開）に制御するようにスケジューリングした遮蔽スケジュールを作成する。また、送風スケジュール作成部２０９は、ある時刻において、部屋Ａの空気温度が、設定温度及び部屋Ｂの空気温度の何れよりも低くなることが予測される場合、当該時刻より予め定めた時間前に送風機７を駆動させるようにスケジューリングすることで、送風スケジュールを作成する。
【００８８】
（変形例２）
送風スケジュール作成部２０９は、部屋Ａにおけるユーザの在室予定も加味して送風スケジュールを作成してもよい。詳細には、夏期の場合、送風スケジュール作成部２０９は、部屋Ａにユーザが居ることを条件に、ある時刻の空気温度が、設定温度及び部屋Ｂの空気温度の何れよりも高くなることが予測される場合、当該時刻より予め定めた時間前に送風機７を駆動させるようにスケジューリングすることで、送風スケジュールを作成する。
【００８９】
また、冬期の場合、送風スケジュール作成部２０９は、部屋Ａにユーザが居ることを条件に、ある時刻の空気温度が、設定温度及び部屋Ｂの空気温度の何れよりも低くなることが予測される場合、当該時刻より予め定めた時間前に送風機７を駆動させるようにスケジューリングすることで、送風スケジュールを作成する。
【００９０】
（変形例３）
遮蔽スケジュール作成部２０７は、部屋Ｂにおけるユーザの在室予定にかかわらず、上記の期間（例えば、当日の午前６時から１８時まで）、遮蔽装置８のブラインド角度を０°（夏期の場合）又は９０°（冬期の場合）に制御するようにスケジューリングした遮蔽スケジュールを作成してもよい。
【００９１】
なお、本発明は、上記の各実施の形態に限定されず、本発明の要旨を逸脱しない範囲での種々の変更は勿論可能である。
【００９２】
例えば、日射遮蔽装置８は、電動シャッタ、電動オーニング又は電動カーテン等であってもよい。
【００９３】
また、部屋Ａの日射量を取得する手法も様々である。例えば、家屋Ｈの屋外の上に日射量を計測する日射量センサを設置し、前述した無線ネットワークを介して、制御装置２と通信可能に接続されるようにしてもよい。この場合、日射量取得部２０３は、かかる日射量センサの計測結果と、予めユーザにより入力された、部屋Ａにおける窓ＷＡの方角、位置、大きさ、日射遮蔽性能又は庇の有無などの窓情報に基づいて、部屋Ａの日射量を算出することができる。あるいは、日射量取得部２０３は、インターネット等の広域ネットワークを介して外部のサーバと通信することで取得した屋外の日射量と、上記の窓情報に基づいて部屋Ａの日射量を算出してもよい。このように、発電電力を用いて日射量を算出しない場合では、空調システム１の構成から発電設備４を除外でき、また、制御装置２の機能構成から、発電量取得部２０２を除外できる。
【００９４】
また、空調対象エリアと空調対象エリアに空気を送る他のエリアとは、必ずしも壁等で間仕切りされる必要はない。この場合、送風機７は、当該他のエリアの天井、横の壁、奥の壁等に設置される。
【００９５】
また、空調対象エリアである部屋Ａに対して、部屋Ｂだけでなく、さらに他の１又は複数の部屋からも空気を流入できる構成にしてもよい。この場合、制御装置２は、対応する複数の部屋の内、図５のステップＳ１０４又は図６のステップＳ２０４の条件を満たす全ての部屋から部屋Ａに空気を送ってもよいし、さらに選別した１又は複数の部屋から部屋Ａに空気を送るようにしてもよい。例えば、制御装置２は、ユーザが在室していない部屋から部屋Ａに空気を送るようにしてもよい。あるいは、制御装置２は、空気温度が、夏期ならば部屋Ａの空気温度より予め定めた温度差以上低い部屋、冬期ならば部屋Ａの空気温度より予め定めた温度差以上高い部屋から部屋Ａに空気を送るようにしてもよい。
【００９６】
また、空調対象エリアは固定である必要はない。例えば、部屋Ａにも電動ブラインド等の日射遮蔽装置８と同様の日射遮蔽装置が設置され、制御装置２によって制御可能である場合、空調対象エリアとして部屋Ａ又は部屋Ｂを適宜選択してもよい。例えば、制御装置２は、ユーザが在室している部屋を空調対象エリアとして選択してもよいし、時間帯で選択してもよい。この場合、送風機７の回転方向（即ち、正回転又は逆回転）を切り替えることで、部屋Ａと部屋Ｂとの間の空気の流通方向を切り替えることが可能である。あるいは、壁９に通気孔９０とは別の通気孔を設け、かかる通気孔に送風機７とは異なる送風機を設置し、かかる送風機を駆動させることで、部屋Ａから部屋Ｂへ空気が流通するようにしてもよい。
【００９７】
また、制御装置２が、ユーザからの操作を受け付けるための入力デバイスと、ユーザに情報を提示するための表示デバイスの少なくとも何れかをさらに含んで構成されるようにしてもよい。
【００９８】
また、制御装置２とインターネットを介して通信可能に接続されるクラウドサーバに、前述した制御装置２の各機能部（図４又は図１１参照）の少なくとも一部を移管してもよい。この場合、制御装置２は、クラウドサーバから、当該機能部の処理結果を通信により取得すればよい。
【００９９】
上記の各実施の形態では、プロセッサ２０によって二次記憶装置２４に記憶されている空調プログラムが実行されることで、制御装置２の各機能部（図４又は図１１参照）が実現された。しかし、制御装置２の機能部の全部又は一部が、専用のハードウェアで実現されるようにしてもよい。専用のハードウェアとは、例えば、単一回路、複合回路、プログラム化されたプロセッサ、ＡＳＩＣ（Application Specific Integrated Circuit）、ＦＰＧＡ（Field-Programmable Gate Array）、又は、これらの組み合わせ等である。
【０１００】
上記の各実施の形態において、空調プログラムは、ＣＤ−ＲＯＭ（Compact Disc Read Only Memory）、ＤＶＤ（Digital Versatile Disc）、光磁気ディスク（Magneto-Optical Disc）、ＵＳＢ（Universal Serial Bus）メモリ、メモリカード、ＨＤＤ等のコンピュータ読み取り可能な記録媒体に格納して配布することも可能である。そして、このように配布した空調プログラムを特定の又は汎用のコンピュータにインストールすることによって、当該コンピュータを上記の各実施の形態における制御装置２として機能させることも可能である。
【０１０１】
また、空調プログラムをインターネット等のネットワーク上のサーバが有するディスク装置等に格納しておき、サーバからコンピュータに空調プログラムがダウンロードされるようにしてもよい。
【０１０２】
本発明は、広義の精神と範囲を逸脱することなく、様々な実施の形態及び変形が可能である。また、上述した実施の形態は、本発明を説明するためのものであり、本発明の範囲を限定するものではない。つまり、本発明の範囲は、実施の形態ではなく、請求の範囲によって示される。そして、請求の範囲内及びそれと同等の発明の意義の範囲内で施される様々な変形が、本発明の範囲内とみなされる。
【産業上の利用可能性】
【０１０３】
本発明は、宅内においてエネルギーを効率的に利用するためのシステム等に好適に採用され得る。
【符号の説明】
【０１０４】
１  空調システム、２  制御装置、３  操作端末、４  発電設備、５，６  空調機、７  送風機、８  日射遮蔽装置、９  壁、２０  プロセッサ、２１  通信インタフェース、２２  ＲＯＭ、２３  ＲＡＭ、２４  二次記憶装置、２５  バス、４０  ＰＶパネル、４１  ＰＶ−ＰＣＳ、５０，６０  温度センサ、９０  通気孔、２００  空調情報取得部、２０１  温度取得部、２０２  発電量取得部、２０３  日射量取得部、２０４  温度調整部、２０５  外気温取得部、２０６  日射量予測部、２０７  遮蔽スケジュール作成部、２０８  室温予測部、２０９  送風スケジュール作成部、２１０  外気温履歴テーブル、２１１  日射量履歴テーブル、２１２  在室予定テーブル
【図１】
2018179350.tif 000003
【図２】
2018179350.tif 000004
【図３】
2018179350.tif 000005
【図４】
2018179350.tif 000006
【図５】
2018179350.tif 000007
【図６】
2018179350.tif 000008
【図７】
2018179350.tif 000009
【図８】
2018179350.tif 000010
【図９】
2018179350.tif 000011
【図１０】
2018179350.tif 000012
【図１１】
2018179350.tif 000013
【図１２】
2018179350.tif 000014
【手続補正書】
【提出日】令和1年5月30日(2019.5.30)
【手続補正１】
【補正対象書類名】明細書
【補正対象項目名】０００９
【補正方法】変更
【補正の内容】
【０００９】
上記目的を達成するため、本発明に係る制御装置は、
第１の部屋の空気温度と、前記第１の部屋とは異なる第２の部屋の空気温度を取得する温度取得手段と、
前記第１の部屋の日射量を取得する日射量取得手段と、
前記第２の部屋へ入る日射を遮蔽する日射遮蔽手段及び前記第２の部屋の空気を前記第１の部屋に送る送風手段と通信する通信手段と、
前記第１の部屋及び前記第２の部屋それぞれの空気温度と、前記第１の部屋の日射量に基づいて、前記日射遮蔽手段及び前記送風手段を制御して前記第１の部屋の空気温度を調整する温度調整手段と、を備える。
【手続補正２】
【補正対象書類名】特許請求の範囲
【補正対象項目名】全文
【補正方法】変更
【補正の内容】
【特許請求の範囲】
【請求項１】
第１の部屋の空気温度と、前記第１の部屋とは異なる第２の部屋の空気温度を取得する温度取得手段と、
前記第１の部屋の日射量を取得する日射量取得手段と、
前記第２の部屋へ入る日射を遮蔽する日射遮蔽手段及び前記第２の部屋の空気を前記第１の部屋に送る送風手段と通信する通信手段と、
前記第１の部屋及び前記第２の部屋それぞれの空気温度と、前記第１の部屋の日射量に基づいて、前記日射遮蔽手段及び前記送風手段を制御して前記第１の部屋の空気温度を調整する温度調整手段と、を備える、制御装置。
【請求項２】
前記温度調整手段は、前記第１の部屋の空気温度が目標温度より高く、前記第２の部屋の空気温度が前記第１の部屋の空気温度より低い場合、前記送風手段に駆動を指示する、請求項１に記載の制御装置。
【請求項３】
前記温度調整手段は、前記第１の部屋の空気温度が目標温度より高く、前記第１の部屋の日射量が予め定めた閾値を超えている場合、前記日射遮蔽手段に閉動作を指示する、請求項１又は２に記載の制御装置。
【請求項４】
前記温度調整手段は、前記第１の部屋の空気温度が目標温度より低く、前記第２の部屋の空気温度が前記第１の部屋の空気温度より高い場合、前記送風手段に駆動を指示する、請求項１に記載の制御装置。
【請求項５】
前記温度調整手段は、前記第１の部屋の空気温度が目標温度より低く、前記第１の部屋の日射量が予め定めた閾値を超えている場合、前記日射遮蔽手段に開動作を指示する、請求項１又は４に記載の制御装置。
【請求項６】
前記第１の部屋の人の存否を判別する存否判別手段をさらに備え、
前記温度調整手段は、前記第１の部屋に人が居る場合に、前記第１の部屋の空気温度を調整する、請求項１から５の何れか１項に記載の制御装置。
【請求項７】
前記温度調整手段は、さらにユーザから前記日射遮蔽手段の前記動作を承認するか否かの決定を受け付け、ユーザが承認した場合、前記日射遮蔽手段に前記動作を指示する、請求項３又は５に記載の制御装置。
【請求項８】
第１の部屋の日射量の推移を予測する日射量予測手段と、
前記第１の部屋の空気温度の推移である第１温度推移と、前記第１の部屋とは異なる第２の部屋の空気温度の推移である第２温度推移を予測する温度予測手段と、
前記第２の部屋へ入る日射を遮蔽する日射遮蔽手段及び前記第２の部屋の空気を前記第１の部屋に送る送風手段と通信する通信手段と、
前記日射量の推移と、前記第１温度推移と、前記第２温度推移に基づいて、予め定めた期間における、前記日射遮蔽手段の制御スケジュールである第１スケジュールと、前記送風手段の制御スケジュールである第２スケジュールを作成するスケジュール作成手段と、
前記第１スケジュールに従って前記日射遮蔽手段を制御し、前記第２スケジュールに従って前記送風手段を制御して前記第１の部屋の空気温度を調整する温度調整手段と、を備える、制御装置。
【請求項９】
請求項１から８の何れか１項に記載の制御装置と、
前記第２の部屋へ入る日射を遮蔽する日射遮蔽手段と、
前記第２の部屋の空気を前記第１の部屋に送る送風手段と、を備える、空調システム。
【請求項１０】
第１の部屋の空気温度と、前記第１の部屋とは異なる第２の部屋の空気温度を取得し、
前記第１の部屋の日射量を取得し、
前記第１の部屋及び前記第２の部屋それぞれの空気温度と、前記第１の部屋の日射量に基づいて、前記第２の部屋へ入る日射を遮蔽する日射遮蔽手段及び前記第２の部屋の空気を前記第１の部屋に送る送風手段を制御して前記第１の部屋の空気温度を調整する、空調制御方法。
【請求項１１】
コンピュータを、
第１の部屋の空気温度と、前記第１の部屋とは異なる第２の部屋の空気温度を取得する温度取得手段、
前記第１の部屋の日射量を取得する日射量取得手段、
前記第１の部屋及び前記第２の部屋それぞれの空気温度と、前記第１の部屋の日射量に基づいて、前記第２の部屋へ入る日射を遮蔽する日射遮蔽手段及び前記第２の部屋の空気を前記第１の部屋に送る送風手段を制御して前記第１の部屋の空気温度を調整する温度調整手段、として機能させるためのプログラム。
【国際調査報告】
2018179350.tif 000015
2018179350.tif 000016
2018179350.tif 000017
2018179350.tif 000018